(57)【要約】【課題】  設置場所に制限のある極小規模な文書細断屑用古紙再生装置で使用するのに適したペーパーロールの巻取装置を提供する。【解決手段】  基台と、該基台の上部に設けられた架枠と、該架枠に回動自在に横架された一対のローラと、該一対のローラに係回された無端ベルトと、該無端ベルトの前端の下方に回動自在に軸支された巻取シャフトと、該巻取シャフトの後方で進退自在に設けられた液体噴出手段と、該巻取シャフトの長手方向に進退自在に設けられたロール排出手段とを備えるようにした。【選択図】  図１
2006240751.tif 000002
【特許請求の範囲】
【請求項１】
基台と、該基台の上部に設けられた架枠と、該架枠に回動自在に横架された一対のローラと、該一対のローラに係回された無端ベルトと、該無端ベルトの前端の下方に回動自在に軸支された巻取シャフトと、該巻取シャフトの後方で進退自在に設けられた液体噴出手段と、該巻取シャフトの長手方向に進退自在に設けられたロール排出手段とを備えることを特徴とするペーパーロールの巻取装置。
【請求項２】
前記巻取シャフトは、径の拡縮機構を備えることを特徴とする請求項１記載のペーパーロールの巻取装置。
【請求項３】
前記巻取シャフトの径の拡縮機構は、複数本以上からなる先端屈曲部を有する小径長尺のリブ部材を先端屈曲部で進退自在に係合する集束部材により束ねてなることを特徴とする請求項２記載のペーパーロールの巻取装置。
【請求項４】
前記液体噴出手段は、ペーパーロールの巻き始めに際して予め前記巻取シャフトに液体を噴霧することを特徴とする請求項１〜３のいずれか１項記載のペーパーロールの巻取装置。
【請求項５】
前記液体噴出手段は、ペーパーロールの巻き終わりに際してペーパーロールの終端に液体を噴出し且つ押圧力を加えることを特徴とする請求項１〜４のいずれか１項記載のペーパーロールの巻取装置。
【請求項６】
前記ロール排出手段は、前記巻取シャフトを貫装した開口部が穿設された板状部材を前記巻取シャフトの長手方向に進退自在に設けてなり、ペーパーロールの巻き始め前に、該巻取シャフトの基端側に位置せしめ、ペーパーロールの巻き終わり後に、該巻取シャフトの先端側に移動せしめることにより、巻き終わったペーパーロールを排出するようにしたことを特徴とする請求項１〜５のいずれか１項記載のペーパーロールの巻取装置。
【請求項７】
前記基台は、前記巻取シャフトの下方に凹部が形成されなることを特徴とする請求項１〜６のいずれか１項記載のペーパーロールの巻取装置。
【請求項８】
前記基台は、前記巻取シャフトの先端部下方に外方傾斜部が形成されてなることを特徴とする請求項１〜７のいずれか１項記載のペーパーロールの巻取装置。
【請求項９】
槽と槽の内底部に攪拌手段を備え、文書細断機によって細断された古紙を離解して再生パルプ懸濁液とするパルパーと、該離解された再生パルプ懸濁液から再生紙を抄造する抄紙機とからなる文書細断屑用古紙再生装置における該抄紙機のリールパート部で用いられることを特徴とする請求項１〜８のいずれか１項記載のペーパーロールの巻取装置。
【発明の詳細な説明】
【技術分野】
【０００１】
本発明は、トイレットペーパーロール等のペーパーロールの巻取装置に係り、特には、文書細断屑用古紙再生装置で用いられるペーパーロールの巻取装置に関するものである。
【背景技術】
【０００２】
従来、文書細断屑のリサイクルが充分に図られていないことに鑑み、文書細断屑をトイレットペーパー程度の比較的低い品質の再生紙にリサイクルするのであれば、古紙再生工程の省略化及び装置の小型化・簡略化によって、文書細断屑の再生を企業、官庁、組合、団地或いは地方公共団体等の各組織単位で文書細断屑のリサイクルを可能とし、省資源・省エネルギー化、古紙回収にかかる時間短縮や労力軽減を図るべく、文書細断機によって細断された古紙を攪拌手段を備えたパルパーで離解し再生パルプとする工程と、該離解された再生パルプを常時緩やかに攪拌されているチェストに貯蔵する工程と、該貯蔵された再生パルプを圧力源及び噴射孔を有する噴射装置に充填し、該噴射装置から再生パルプを噴射し、一対のローラを介して回動可能に取りつけられた無端の繊維シートを有する抄紙装置の該繊維シートに吹きかけて再生パルプをシート状にし、該シート状にされた再生パルプを乾燥ローラで乾燥して抄紙する工程とからなる文書細断屑の古紙再生方法が提案されている（特許文献１参照）。
【０００３】
また、本発明者らは、上記提案の実用化する上での種々の問題点を解決すべく、槽と槽の内底部に攪拌手段を備え、文書細断機によって細断された古紙を離解して再生パルプ懸濁液とするパルパーと、該離解された再生パルプ懸濁液から再生紙を抄造する抄紙機とからなる文書細断屑用古紙再生装置であって、該抄紙機が、再生パルプ懸濁液を噴出する幅広の噴出口が設けられたヘッドボックスを有し、該再生パルプ懸濁液を該ヘッドボックスから噴出するストックインレット部と、金属製ワイヤー又は合成樹脂製ワイヤーを円筒状に製織してなり、回動自在に軸支された丸網ドラムを有し、該噴出された再生パルプ懸濁液を該丸網ドラムの外周面上で再生パルプ湿潤シートに形成するワイヤーパート部と、複数の回転自在なローラ間に係回された無端のフェルト帯と、一対のプレスローラを有し、該形成された再生パルプ湿潤シートを該フェルト帯に移し取って該プレスローラで搾水するプレスパート部と、内部中空の筐体と、該筐体内部を左空隙部、中央空隙部及び右空隙部の３区画に仕切り且つ多数の通風孔が穿孔された２枚の仕切板と、少なくとも一部が上下又は左右に交互に配置されるように該２枚の仕切板の間に掛架された複数の回転自在なローラと、該ローラ間に係回された無端帯状のキャンバスとを有する乾燥チャンバー、並びに該乾燥チャンバーと連通し、該乾燥チャンバー内の雰囲気を循環しつつ除湿乾燥するヒートポンプ方式の除湿乾燥機からなるドライヤーを有し、該搾水された再生パルプ湿潤シートを乾燥して再生紙とするドライヤーパート部と、回転自在のリールを有し、該乾燥された再生紙を巻き取るリールパート部と、を備えるようにした文書細断屑用古紙再生装置を既に提案した（特願２００４−３３６４９２号）。
【０００４】
ここで、ドライヤーパート部で乾燥された再生紙を巻き取るリールパート部では、巻取装置（リール或いはワインダーともいう。）が用いられるが、従来の一般的な製紙工場で用いられている巻取装置には、幅広（数メートル）の原紙をスリッター装置でスリット切断してから一度に数ロールを巻き取る方式と、幅広の原紙をロール状に巻取った後で所定幅の数ロールに裁断する方式とがあるが（特許文献２及び特許文献３参照）、どちらにしても大量のロールの巻取処理を行うための大型の装置であり、設置場所に制限のある上記文書細断屑用古紙再生装置には不向きである。と言うのも、上記文書細断屑用古紙再生装置では、トイレットペーパー１ロール分（２００〜３００ｇ程度）の文書細断屑が溜まる毎に製紙したり、トイレットペーパー１ロール分を１バッチとしてバッチ処理で製紙することが望ましいが、従来の巻取装置は製紙工場での大量のロールの巻取処理（一度に数ロールを連続して巻き取る処理）で用いられること前提としており、一ロール毎に時間を置いて巻き取るというような使用態様は想定されていないため、極小規模な上記文書細断屑用古紙再生装置にそのまま適用することはできない。
【特許文献１】特開平１０−３１７２９０号公報
【特許文献２】特開平９−１１８４５５号公報
【特許文献３】特開平６−３１６８３号公報
【発明の開示】
【発明が解決しようとする課題】
【０００５】
本発明は、上記問題点に鑑みてなされたものであり、設置場所に制限のある極小規模な文書細断屑用古紙再生装置で使用するのに適したペーパーロールの巻取装置を提供することを目的とし、ひいては、文書細断屑の再生を企業、官庁、組合、団地或いは地方公共団体等の各組織単位で行い得るようにして、焼却・埋め立て処分とされていた文書細断屑のリサイクルを可能とし、省資源・省エネルギー化、古紙回収にかかる時間短縮や労力軽減を図ることにある。
【課題を解決するための手段】
【０００６】
本発明のペーパーロールの巻取装置は、基台と、該基台の上部に設けられた架枠と、該架枠に回動自在に横架された一対のローラと、該一対のローラに係回された無端ベルトと、該無端ベルトの前端の下方に回動自在に軸支された巻取シャフトと、該巻取シャフトの後方で進退自在に設けられた液体噴出手段と、該巻取シャフトの長手方向に進退自在に設けられたロール排出手段とを備えることを特徴とする。
【０００７】
前記巻取シャフトは、径の拡縮機構を備えることが好ましい。巻き終わったペーパーロールを巻取シャフトから容易に脱離させることができるようにするためである。前記巻取シャフトの径の拡縮機構は、複数本以上からなる先端屈曲部を有する小径長尺のリブ部材を先端屈曲部で進退自在に係合する集束部材により束ねてなることが好適である。
【０００８】
前記液体噴出手段は、ペーパーロールの巻き始めに際して予め前記巻取シャフトに液体を噴霧することが好ましい。ペーパーロールの巻き始めの始端が巻取シャフトに纏わり付いて巻き取り易くするためである。
【０００９】
前記液体噴出手段は、ペーパーロールの巻き終わりに際してペーパーロールの終端に液体を噴出し且つ押圧力を加えることが好ましい。ペーパーロールの巻き終わりの終端を止着するためである。
【００１０】
前記ロール排出手段は、前記巻取シャフトを貫装した開口部が穿設された板状部材を前記巻取シャフトの長手方向に進退自在に設けてなり、ペーパーロールの巻き始め前に、該巻取シャフトの基端側に位置せしめ、ペーパーロールの巻き終わり後に、該巻取シャフトの先端側に移動せしめることにより、巻き終わったペーパーロールを排出するようにすることが好適である。
【００１１】
前記基台は、前記巻取シャフトの下方に凹部が形成され、また、該巻取シャフトの先端部下方に外方傾斜部が形成されてなることが好ましい。巻取シャフトの下方の凹部は、巻取シャフトには液体噴出手段により液体が噴霧されるので、滴下する液体を受けるためである。また、巻取シャフトの先端部下方の外方傾斜部は、ロール排出手段により巻取シャフトから排出されたペーパーロールが基台から外方に転がり落ちるようにするためである。
【００１２】
槽と槽の内底部に攪拌手段を備え、文書細断機によって細断された古紙を離解して再生パルプ懸濁液とするパルパーと、該離解された再生パルプ懸濁液から再生紙を抄造する抄紙機とからなる文書細断屑用古紙再生装置における該抄紙機のリールパート部で用いることが望ましい。本発明のペーパーロールの巻取装置は設置場所に制限のある極小規模な文書細断屑用古紙再生装置で使用するのに適しているからである。
【発明の効果】
【００１３】
本発明によれば、設置場所に制限のある極小規模な文書細断屑用古紙再生装置で使用するのに適したペーパーロールの巻取装置を提供することができ、ひいては、文書細断屑の再生を企業、官庁、組合、団地或いは地方公共団体等の各組織単位で行い得るようにして、焼却・埋め立て処分とされていた文書細断屑のリサイクルを可能とし、省資源・省エネルギー化、古紙回収にかかる時間短縮や労力軽減を図ることができるという大きな効果を奏する。
【発明を実施するための最良の形態】
【００１４】
以下に本発明の実施の形態を添付図面に基づいて説明するが、図示例は例示的に示されたもので、本発明の技術的思想から逸脱しない限り種々の変形が可能なことは言うまでもない。
【００１５】
図１は、本発明のペーパーロールの巻取装置の全体的構成の一例を示す前方斜視説明図である。図２は、本発明のペーパーロールの巻取装置の全体的構成の一例を示す後方斜視説明図である。図３は、図１から架枠等を取り除いた状態で示す前方斜視説明図である。図４は、図３の状態で側方から見た場合であり、液体噴出手段から巻取シャフトに液体を噴霧する様子を示す側面説明図である。図５は、図３の状態で側方から見た場合であり、液体噴出手段が待機位置にあり、ペーパーロールを巻き終わった様子を示す側面説明図である。図６は、図３の状態で側方から見た場合であり、液体噴出手段によりペーパーロールの終端に液体を噴出し且つ押圧力を加える様子を示す側面説明図である。図７は、図６のＡ−Ａ’部断面を示す断面説明図である。図８は、図７の状態からペーパーロールを排出する際の動作を示す断面説明図である。図９は、巻取シャフトの拡径状態を示す要部拡大斜視図である。図１０は、巻取シャフトの縮径状態を示す要部拡大斜視図である。図中、符号２は本発明のペーパーロールの巻取装置である。
【００１６】
本発明のペーパーロールの巻取装置２は、基台４と、基台４の上部に設けられた架枠１０と、架枠１０に回動自在に横架された一対の後部ローラ１８及び前部ローラ１９と、一対のローラ１８，１９に係回された無端の搬送ベルト２０と、無端の搬送ベルト２０の前端の下方に回動自在に軸支された巻取シャフト５０と、巻取シャフト５０の後方で進退自在に設けられた液体噴出手段４０と、該巻取シャフトの長手方向に進退自在に設けられたロール排出手段８０とを備えるものである。
【００１７】
基台４は、本発明のペーパーロールの巻取装置２を構成する種々の機材の台座となる部材であり、巻取シャフト５０の下方には凹部６が形成され、巻取シャフト５０の先端部下方には外方傾斜部５が形成されている（図１〜図３参照）。凹部６は、後述するように巻取シャフト５０には液体噴出手段４０により液体Ｗが噴霧されるため、滴下する液体Ｗを受けるための部分である。また、外方傾斜部５は、後述するようにロール排出手段８０により巻取シャフト５０から排出され、基台４の上に落下したペーパーロールＰＲが基台４から外方に転がり落ちるようにするための部分である。なお、図示しないが、外方傾斜部５の下方にペーパーロールＰＲの収納容器を配置しておけば、ロール排出手段８０により巻取シャフト５０から排出されたペーパーロールＰＲは、基台４の外方傾斜部５を転がり落ちて、収納容器に収まることとなる。
【００１８】
架枠１０は、基台４の上部に立設された支持枠であり、２枚の側板１２ａ，１２ｂをその基部１２ａ１，１２ｂ１で基台４に固定し、２枚の側板１２ａ，１２ｂの間に補強パイプ１３，１４，１５を横架してなるものである（図１及び図２参照）。側板１２ａ，１２ｂには夫々前方に突出した突端部１２ａ２，１２ｂ２が形成されている。補強パイプ１３，１４，１５は夫々がビス１３ａ，１３ｂ，１４ａ，１４ｂ，１５ａ，１５ｂで側板１２ａ，１２ｂに固定されている。
【００１９】
架枠１０に回動自在に横架された一対のローラである後部ローラ１８及び前部ローラ１９は、２枚の側板１２ａ，１２ｂの間に回動自在な状態で架設される（図１及び図２参照）。後部ローラ１８は、側板１２ａ，１２ｂの後部で回動軸１８ａ，１８ｂを介して回動自在に軸支され、また、前部ローラ１９は、側板１２ａ，１２ｂの前方に突出する突端部１２ａ２，１２ｂ２で回動軸１９ａ，１９ｂを介して回動自在に軸支されている。後部ローラ１８の上方には、上部ローラ１７が回動軸１７ａ，１７ｂを介して回動自在に軸支されている。上部ローラ１７は後部ローラ１８との間で原紙Ｐを押圧挟持するためのローラである。
【００２０】
後部ローラ１８及び前部ローラ１９の間には、無端の搬送ベルト２０が係回されており、また、側板１２ｂに側面に付設されたハウジング２５内には駆動モータ（不図示）が内装されている（図２参照）。ハウジング２５内の駆動モータにより後部ローラ１８が回転駆動せられると、搬送ベルト２０も駆動し、原紙Ｐを前方に搬送するようになっている。従って、文書細断屑用古紙再生装置（特許文献１乃至特願２００４−３３６４９２号参照）のドライヤーパート部で乾燥せられた原紙Ｐが本発明装置２に導入されると、原紙Ｐは後部ローラ１８及び上部ローラ１７により押圧挟持されつつ搬送ベルト２０により前方に搬送されることとなる。
【００２１】
なお、本発明のペーパーロールの巻取装置２は、前述したように文書細断屑用古紙再生装置で用いることが好適なものであり、文書細断屑用古紙再生装置はトイレットペーパー１ロール分（２００〜３００ｇ程度）の文書細断屑が溜まる毎に製紙したり、トイレットペーパー１ロール分を１バッチとしてバッチ処理で製紙するものであるため、搬送ベルト２０も常に駆動している必要はなく、原紙Ｐが本発明装置２に導入された場合のみ駆動を開始すればよい。そのため、例えば架枠１０の上端部にアングル１６を掛架し、アングル１６にセンサ１００を設置して信号コード１０１を介して搬送ベルト２０上に原紙Ｐがあるかどうかをモニタし、原紙Ｐが搬送ベルト２０上に検出されている場合には搬送ベルト２０を駆動し、原紙Ｐが搬送ベルト２０上に検出されない場合には駆動を停止するようにすればよい。
【００２２】
巻取シャフト５０は、無端の搬送ベルト２０の前端（前部ローラ１９側の端）の下方に回動自在に軸支された円筒状部材であり、ペーパーロールＰＲの巻き芯をなす部材である。巻取シャフト５０は、基台４に取付台６１を介して駆動モータ６０が設けられ、駆動モータ６０からの動力をトルクリミッタ６２を介してドライブプーリ６４に動力を伝達することにより、ドライブプーリ６４と巻取シャフト５０の巻取シャフト主軸５８に設けられたシャフトプーリ７４との間に係回された駆動ベルト６３を介して、回転駆動せられるようになっている（図１〜図３並びに図７及び図８参照）。ここで、トルクリミッタ６２を介在せしめているのは、巻き取り対象が破れ易いペーパーロールＰＲであるからであり、トルクリミッタ６２を強く設定すれば、ペーパーロールＰＲをきつく巻き取ることができるし、トルクリミッタ６２を弱く設定すれば、ペーパーロールＰＲを緩く巻き取ることができる。
【００２３】
なお、本発明装置２は文書細断屑用古紙再生装置で用いられる関係上、ゴミになるようなものは極力用いない方が望ましいため、ペーパーロールＰＲは紙芯のない、いわゆる無芯のペーパーロールとして巻き取られることが望ましく、よって、巻取シャフト５０は紙芯なしでペーパーロールＰＲを巻き取るものであることを要する。
【００２４】
巻取シャフト５０は、紙芯なしでペーパーロールＰＲを巻き取り可能なものであれば、その構造は特に限定されるものではないが、紙芯なしでペーパーロールＰＲを巻き取る関係上、巻き終わり後のペーパーロールＰＲを容易に脱離可能とすべく、巻取シャフト５０の径の拡縮機構を備えることが好適である。
【００２５】
この巻取シャフト５０の径の拡縮機構としては、数本〜数十本〔図示例では２４本（図９及び図１０参照）〕からなる先端屈曲部５３を有する小径長尺のリブ部材５２を先端屈曲部５３で進退自在に係合する集束部材５６により束ねてなることが好適な態様である（図７〜図１０参照）。
【００２６】
即ち、集束部材５６を巻取シャフト主軸５８の先端部に固着しておき、巻取シャフト主軸５８の後端部には係合段部７７を設け、また、巻取シャフト主軸５８は基台４に固着された取付台７５及びベアリング７６により進退自在且つ回動自在な状態で支持されるようにする（図１〜３並びに図７〜図１０参照）。他方、基台４に取付台７１を介してエアシリンダ７０を取り付け、そのシリンダシャフト７２の先端には嵌合部７３を設ける。そして、シリンダシャフト７２の嵌合部７３で巻取シャフト主軸５８の係合段部７７を把持しておき、シリンダシャフト７２の進退により集束部材５６がリブ部材５２の先端屈曲部５３を摺動して進退するようにする（図１〜３並びに図７〜図１０参照）。これにより、集束部材５６が先端屈曲部５３の先端側にある場合には、リブ部材５２は外方に位置するので巻取シャフト５０は拡径し（図７の状態）、集束部材５６が先端屈曲部５３の基端側にある場合には、リブ部材５２は内方に位置するので巻取シャフト５０は縮径する（図８の状態）こととなる。
【００２７】
従って、巻取シャフト５０が拡径した状態（図７の状態）でペーパーロールＰＲを巻き取り、巻き取り終了後は巻取シャフト５０を縮径した状態（図８の状態）にすることにより、ペーパーロールＰＲと巻取シャフト５０との間には間隙が生じるので容易にペーパーロールＰＲを巻取シャフト５０から脱離することができるようになる（図７〜図１０参照）。
【００２８】
液体噴出手段４０は、ペーパーロールＰＲの巻き始めに際しては、ペーパーロールＰＲの始端が巻取シャフト５０に纏わり付いて巻き取り易くするために予め巻取シャフト５０に液体Ｗを噴霧し（図４参照）、また、ペーパーロールの巻き終わりに際しては、ペーパーロールＰＲの巻き終わりの終端を止着するためにペーパーロールＰＲの終端に液体Ｗを噴出し且つ押圧力を加える（図６参照）ものである。なお、液体Ｗとしては通常は水を用いればよい。
【００２９】
液体噴出手段４０は、巻取シャフト５０の後方で進退自在に設けられた液体噴出装置４４からなるものである。即ち、基台４に取付架台３０を介してエアシリンダ３２，３３が設けられ、エアシリンダ３２，３３の間にはガイドレール３４が設けられており、また、液体導入口４５及び液体噴出ノズル４６を備える液体噴出装置４４は、断面Ｌ字形の取付金具４２を介してガイド部材４１が固着され、ガイド部材４１はガイドレール３４に摺動自在に係合している。そして、エアシリンダ３２，３３のシリンダシャフト３６，３７は、固定金具４８を介してガイド部材４１に固着されており、従って、シリンダシャフト３６，３７の進退により、液体噴出装置４４が進退自在とされている（図３〜図６参照）。
【００３０】
従って、液体噴出手段４０では、ペーパーロールＰＲの巻き始めに、液体噴出装置４４が巻取シャフト５０側に進出して巻取シャフト５０に液体Ｗを噴霧し（図４参照）、また、ペーパーロールＰＲの巻き取り中から巻き取り終わるまでは、液体噴出装置４４は後方の待機位置に退避し（図５）、更に、ペーパーロールＰＲの巻き終わった後には、液体噴出装置４４が再び巻取シャフト５０側に進出して、ペーパーロールＰＲの終端に液体Ｗを噴出し且つ押圧力を加える（図６参照）ことができるようになっている。
【００３１】
ロール排出手段８０は、開口部８１ａが開穿された板状部材８１を巻取シャフト５０の長手方向に進退自在に設けたものであり、巻取シャフト５０が開口部８１ａを貫いた状態で取り付けられている（図１〜図４参照）。即ち、エアシリンダ８２が基台４に取付金具８４を介して固定され、エアシリンダ８２のシリンダシャフト８３ａ，８３ｂ，８３ｃが板状部材８１と連動するようになっている。そして、ペーパーロールＰＲの巻き始めから巻き終わりまでは、板状部材８１を巻取シャフト５０の基端側の待機位置に位置せしめ（図７参照）、ペーパーロールを巻き終わった後に、板状部材８１を巻取シャフト５０の先端側に移動せしめることにより（図８参照）、巻き終わったペーパーロールＰＲを巻取シャフト５０から脱離せしめ排出するようにすることができる。排出されたペーパーロールＰＲは、前述したように基台４の外方傾斜部５に落下して外方に転がり落ちるので、外方傾斜部５の下方にペーパーロールＰＲの収納容器を配置しておけば、ペーパーロールＰＲを収納容器に収めることができる。
【００３２】
なお、取付架台９０の上には、エアシリンダ３２，３３，７０，８２を制御するための制御弁９２や、駆動モータ６０及びハウジング２５内の駆動モータを制御するためのモータ制御回路９４並びに液体噴出装置４４を制御するための噴射制御回路９６を設けるようにすればよい。
【００３３】
以上述べた如くの本発明装置２を、槽と槽の内底部に攪拌手段を備え、文書細断機によって細断された古紙を離解して再生パルプ懸濁液とするパルパーと、該離解された再生パルプ懸濁液から再生紙を抄造する抄紙機とからなる文書細断屑用古紙再生装置（特許文献１乃至特願２００４−３３６４９２号参照）における抄紙機のリールパート部で用いるようにすれば、設置場所に制限のある極小規模な文書細断屑用古紙再生装置でもペーパーロールＰＲの巻き取りを容易且つ綺麗に行うことができるようになる。
【図面の簡単な説明】
【００３４】
【図１】本発明のペーパーロールの巻取装置の全体的構成の一例を示す前方斜視説明図である。
【図２】本発明のペーパーロールの巻取装置の全体的構成の一例を示す後方斜視説明図である。
【図３】図１から架枠等を取り除いた状態で示す前方斜視説明図である。
【図４】図３の状態で側方から見た場合であり、液体噴出手段から巻取シャフトに液体を噴霧する様子を示す側面説明図である。
【図５】図３の状態で側方から見た場合であり、液体噴出手段が待機位置にあり、ペーパーロールを巻き終わった様子を示す側面説明図である。
【図６】図３の状態で側方から見た場合であり、液体噴出手段によりペーパーロールの終端に液体を噴出し且つ押圧力を加える様子を示す側面説明図である。
【図７】図６のＡ−Ａ’部断面を示す断面説明図である。
【図８】図７の状態からペーパーロールを排出する際の動作を示す断面説明図である。
【図９】巻取シャフトの拡径状態を示す要部拡大斜視図である。
【図１０】巻取シャフトの縮径状態を示す要部拡大斜視図である。
【符号の説明】
【００３５】
２：本発明のペーパーロールの巻取装置、４：基台、５：外方傾斜部、６：凹部、１０：架枠、１２ａ１，１２ｂ１：基部、１２ａ，１２ｂ：側板、１２ａ２，１２ｂ２：突端部、１３ａ，１３ｂ，１４ａ，１４ｂ，１５ａ，１５ｂ：ビス、１３，１４，１５：補強パイプ、１６：アングル、１７：上部ローラ、１７ａ，１７ｂ：回動軸、１８：後部ローラ、１８ａ，１８ｂ：回動軸、１９：前部ローラ、１９ａ，１９ｂ：回動軸、２０：搬送ベルト、２５：ハウジング、３０：取付架台、３２，３３：エアシリンダ、３４：ガイドレール、３６，３７：シリンダシャフト、４０：液体噴出手段、４１：ガイド部材、４２：取付金具、４４：液体噴出装置、４５：液体導入口、４６：液体噴出ノズル、４８：固定金具、５０：巻取シャフト、５２：リブ部材、５３：先端屈曲部、５６：集束部材、５８：巻取シャフト主軸、６０：駆動モータ、６１：取付台、６２：トルクリミッタ、６３：駆動ベルト、６４：ドライブプーリ、７０：エアシリンダ、７１：取付台、７２：シリンダシャフト、７３：嵌合部、７４：シャフトプーリ、７５：取付台、７６：ベアリング、７７：係合段部、８０：ロール排出手段、８１ａ：開口部、８１：板状部材、８２：エアシリンダ、８３ａ，８３ｂ，８３ｃ：シリンダシャフト、８４：取付金具、９０：取付架台、９２：制御弁、９４：モータ制御回路、９６：噴射制御回路、１００：センサ、１０１：信号コード、Ｐ：原紙、ＰＲ：ペーパーロール、Ｗ：液体。
【図１】
2006240751.tif 000003
【図２】
2006240751.tif 000004
【図３】
2006240751.tif 000005
【図４】
2006240751.tif 000006
【図５】
2006240751.tif 000007
【図６】
2006240751.tif 000008
【図７】
2006240751.tif 000009
【図８】
2006240751.tif 000010
【図９】
2006240751.tif 000011
【図１０】
2006240751.tif 000012